(57)【特許請求の範囲】
【請求項１】
第１のコンタクトを組込んでいる一方のコネクタと、前記第１のコンタクトに接続される第２のコンタクトを組込んでいて前記一方のコネクタを内部に嵌合する構造の他方のコネクタと、相互の前記コネクタの嵌合方向に沿って前記一方のコネクタに抜き差し可能に嵌合されてこれらコネクタの半嵌合を検知する検知具とを備え、前記一方のコネクタのコネクタハウジング内には相互の前記コネクタの嵌合方向に対して直交する方向に突設されてコネクタロック突起が設けられ、前記他方のコネクタのコネクタハウジング内には相互の前記コネクタが完全嵌合位置まで嵌合された正規の嵌合時に該他方のコネクタ側から前記一方のコネクタ内に挿入されて該一方のコネクタの前記コネクタロック突起に係止されてコネクタ相互のロックを行うコネクタロックアームが片持ち支持で突設されているコネクタ装置において、
前記検知具は、相互の前記コネクタの正規の嵌合時に前記一方のコネクタ内で前記コネクタロック突起に交差する向きで該一方のコネクタ内に挿入状態にある前記コネクタロックアームの側面に沿って存在するようにして片持ち支持で設けられたロックアーム離脱操作用アームを備え、該ロックアーム離脱操作用アームの先端には相互の前記コネクタの正規の嵌合時に前記コネクタロックアームの存在側とは反対側に突出する向きでロックアーム離脱操作突起が突設され、
前記一方のコネクタのコネクタハウジングの内壁面で、前記検知具のロックアーム離脱操作突起が通る通路の途中には、前記検知具を前記一方のコネクタから所定の位置まで抜いた際に該ロックアーム離脱操作突起が乗り上げて該ロックアーム離脱操作突起により前記コネクタロックアームをその先端部が前記コネクタロック突起から外れる方向に撓ませるロック外し突起が突設されていることを特徴とするコネクタ装置。
【請求項２】
前記検知具と前記一方のコネクタのコネクタハウジングとには、相互の前記コネクタが正規の嵌合状態で且つ前記検知具が嵌合し得る最終位置まで前記一方のコネクタに嵌合されていてしかも前記他方のコネクタの前記コネクタロックアームが前記一方のコネクタの前記コネクタロック突起に嵌合された状態から前記検知具が前記一方のコネクタより所要の位置まで抜かれて前記ロックアーム離脱操作突起が前記ロック外し突起に乗り上げた際に前記検知具を前記一方のコネクタのコネクタハウジングに仮係止する仮係止手段が設けられていることを特徴とする請求項１に記載のコネクタ装置。
【請求項３】
第１のコンタクトを組込んでいる一方のコネクタと、前記第１のコンタクトに接続される第２のコンタクトを組込んでいて前記一方のコネクタを内部に嵌合する構造の他方のコネクタと、相互の前記コネクタの嵌合方向に沿って前記一方のコネクタに抜き差し可能に嵌合されてこれらコネクタの半嵌合を検知する検知具とを備え、前記一方のコネクタのコネクタハウジング内には相互の前記コネクタの嵌合方向に対して直交する方向に突設されてコネクタロック突起が設けられ、前記他方のコネクタのコネクタハウジング内には相互の前記コネクタが完全嵌合位置まで嵌合された正規の嵌合時に該他方のコネクタ側から前記一方のコネクタ内に挿入されて該一方のコネクタの前記コネクタロック突起に係止されてコネクタ相互のロックを行うコネクタロックアームが片持ち支持で突設されているコネクタ装置において、
前記一方のコネクタのコネクタハウジングの一部には相互の前記コネクタの嵌合方向に沿って前記検知具を挿入して組込む検知具組込み部が設けられ、
前記他方のコネクタのコネクタハウジングの一部には前記一方のコネクタの検知具組込み部を相互の前記コネクタの嵌合方向に沿って嵌込むための嵌込み凹部を有する嵌込み部が設けられ、
前記一方のコネクタの前記検知具組込み部には該検知具組込み部の入口側から前記検知具を挿入するための検知具挿入孔が貫通して設けられ、該検知具挿入孔の内壁の第１の面には相互の前記コネクタの嵌合方向に対して直交する方向に突設されて前記コネクタロック突起が設けられ、
前記他方のコネクタの前記嵌込み部における嵌込み凹部の底面には前記コネクタロック突起に先端部が係止される枠形の前記コネクタロックアームが片持ち支持で前記嵌込み凹部の入口側に突設され、
前記検知具は、前記検知具挿入孔にその入口側から嵌込まれる横断面形状がほぼ四角形で周囲に第１〜第４の面を有する検知具基体と、相互の前記コネクタの嵌合方向に沿った該検知具基体の操作方向の基端側に一体に設けられている操作摘み部と、前記検知具基体の操作方向の先端で前記コネクタロック突起に向い合う前記第１の面側に片寄せて位置させて片持ち支持されていて前記検知具基体の操作方向の先端方向に突設されて相互の前記コネクタの正規の嵌合時に前記一方のコネクタ内で前記コネクタロック突起に交差する向きで該一方のコネクタ内に挿入状態にある前記コネクタロックアームの側面に沿って存在するロックアーム離脱操作用アームと、前記ロックアーム離脱操作用アームの先端で相互の前記コネクタの正規の嵌合時に前記コネクタロックアームの存在側とは反対側に突出するように設けられたロックアーム離脱操作突起と、前記検知具基体の操作方向の先端で前記第１の面とは反対側の前記第３の面側に片寄せて位置させて前記第３の面の幅方向の両端に片持ち支持されていて前記検知具基体の操作方向の先端方向にそれぞれ突設された１対の検知具係止用アームと、前記各検知具係止用アームの先端で前記検知具基体の第３の面と同じ側に位置する部分にそれぞれ突設された第１の係止突起と、一方の前記各検知具係止用アームの先端には前記検知具基体の第２の面と同じ側に位置する部分に、他方の前記各検知具係止用アームの先端には前記検知具基体の第４の面と同じ側に位置する部分にそれぞれ突設された第２の係止突起と、前記検知具基体の前記第２，第４の面に該検知具基体の操作方向に位置を異にし且つこれらの面の幅方向に位置を異にしてそれぞれ突設された第３の係止突起及び第４の係止突起と、前記検知具基体の前記第３の面に突設された検知具ロック突起とを備えて構成され、
前記一方のコネクタの前記検知具組込み部に設けられている前記検知具挿入孔の内表面には、
前記検知具のロックアーム離脱操作突起が通る通路の途中に設けられて前記検知具を前記一方のコネクタから所定の位置まで抜いた際に前記ロックアーム離脱操作突起がコネクタ離脱操作時に乗り上げて該ロックアーム離脱操作突起により前記コネクタロックアームをその先端部が前記コネクタロック突起から外れる方向に撓ませるロック外し突起と、
前記ロック外し突起を間にして前記検知具のロックアーム離脱操作突起が通る通路の幅方向の両側に先端部が存在するようにして対形に片持ち支持で相互の前記コネクタの嵌合方向に対して直交する方向に突設されている前記コネクタロック突起と、
前記検知具の１対の第１の係止突起が通る通路の途中にそれぞれ設けられて前記ロックアーム離脱操作突起が前記ロック外し突起に乗り上げている際に該検知具が挿入方向に進まないようにこれら第１の係止突起をそれぞれ仮係止する１対の第１の係止突起係止部と、
前記検知具の１対の第２の係止突起が通る通路の末端にそれぞれ設けられて、前記一方のコネクタの前記検知具挿入孔に組み込まれた前記検知具が前記検知具組込み部の先端側から抜け出さないように該検知具のこれら第２の係止突起をそれぞれ係止する１対の第２の係止突起係止部と、
前記検知具の１対の第３の係止突起が通る通路の途中にそれぞれ設けられて、前記検知具を前記一方のコネクタから所定の位置まで抜いてのコネクタ離脱操作時に前記ロックアーム離脱操作突起が前記ロック外し突起に乗り上げて前記コネクタロックアームを前記コネクタロック突起から外した状態の時に該検知具の引き操作を停止させることができるように該検知具のこれら第３の係止突起を前記一方のコネクタにそれぞれ仮係止する１対の第３の係止突起係止部と、
前記検知具の１対の第４の係止突起が通る通路の入口側にそれぞれ設けられて、前記一方のコネクタの前記検知具挿入孔に組み込まれた前記検知具が前記検知具組込み部の基端側から抜け出さないように該検知具のこれら第４の係止突起を係止する１対の第４の係止突起係止部とが設けられ、
前記一方のコネクタのコネクタハウジングには、該一方のコネクタと前記他方のコネクタとが正規嵌合された際に前記検知具の検知具ロック突起をロックする検知具ロックアームが枢支部で揺動可能に設けられ、
さらに前記一方のコネクタのコネクタハウジングには、前記検知具の１対の第２の係止突起が該一方のコネクタの１対の第２の係止突起係止部に係止されている状態で前記検知具の１対の第１の係止突起を該一方のコネクタのコネクタハウジングで包囲しないように露出させる１対のスリットが該一方のコネクタのコネクタハウジングにその先端に開口させてそれぞれ設けられ、
前記他方のコネクタのコネクタハウジングの前記嵌込み凹部の内表面には、前記検知具の１対の第２の係止突起が該一方のコネクタの１対の第２の係止突起係止部にそれぞれ係止されている状態で前記一方のコネクタと前記他方のコネクタを正規の嵌合状態に嵌合させる際に前記１対の検知具係止用アームの先端部を押圧して前記各第２の係止突起を前記各第２の係止突起係止部からそれぞれ外す操作を行う１対の第２の係止突起外し操作部が設けられていることを特徴とするコネクタ装置。
【発明の詳細な説明】
【０００１】
【発明の属する技術分野】
本発明は、一方のコネクタと他方のコネクタの半嵌合を検知する検知具を備えたコネクタ装置に関するものである。
【０００２】
【従来の技術】
この種のコネクタ装置として、第１のコンタクトを組込んでいる一方のコネクタと、第１のコンタクトに接続される第２のコンタクトを組込んでいる他方のコネクタと、これらコネクタの半嵌合を検知する検知具とを備え、一方のコネクタのコネクタハウジングの外表面にはコネクタロック突起が突設され、他方のコネクタのコネクタハウジングの外表面には相互のコネクタの正規の嵌合時にコネクタロック突起に係止されてコネクタ相互のロックを行うコネクタロックアームが片持ち支持で突設されている構造のものがある。
【０００３】
【発明が解決しようとする課題】
このような従来のコネクタ装置にあっては、保守，点検等の際に、一方のコネクタと他方のコネクタとの嵌合を外す場合には、コネクタハウジングの外表面に存在するコネクタロックアームの基端側を指で押圧し続けて該コネクタロックアームをコネクタロック突起から外した状態を維持しつつ、相互のコネクタの引き外し操作をしなければならず、作業性が悪い問題点があった。特に、接続すべきコンタクトの数が多い場合には、相互のコネクタを引き外す力を強くしなければならず、この際に相互のコネクタのロックを外した状態を指で維持する操作も行っていなければならず、狭い取付け空間でこれらの作業を行うのは困難であった。さらに、従来のコネクタ装置にあっては、コネクタロックアームは外部から指等で操作し易いようにコネクタハウジングの外表面に設けざるを得なかったので、コネクタハウジングの設置場所が制約される問題点があった。さらに、従来のコネクタ装置にあっては、その取付け場所の如何によっては、ネクタハウジングの外表面に存在するコネクタロックアームが作業の過程等で何らかの物体に当たる等して損傷を受け、相互のコネクタのロックが不能になる可能性もあった。
【０００４】
本発明の目的は、相互のコネクタの嵌合を外す操作を作業を容易に行えるコネクタ装置を提供することにある。
【０００５】
本発明の他の目的は、相互のコネクタのロック外しを、コネクタの半嵌合を検知する検知具の操作で行えるコネクタ装置を提供することにある。
【０００６】
本発明の他の目的は、コネクタロック突起とコネクタロックアームとを相互のコネクタハウジング内に組み込むことができるコネクタ装置を提供することにある。
【０００７】
【課題を解決するための手段】
本発明は、第１のコンタクトを組込んでいる一方のコネクタと、第１のコンタクトに接続される第２のコンタクトを組込んでいて一方のコネクタを内部に嵌合する構造の他方のコネクタと、相互のコネクタの嵌合方向に沿って一方のコネクタに抜き差し可能に嵌合されてこれらコネクタの半嵌合を検知する検知具とを備え、一方のコネクタのコネクタハウジング内には相互のコネクタの嵌合方向に対して直交する方向に突設されてコネクタロック突起が設けられ、他方のコネクタのコネクタハウジング内には相互のコネクタが完全嵌合位置まで嵌合された正規の嵌合時に該他方のコネクタ側から一方のコネクタ内に挿入されて該一方のコネクタのコネクタロック突起に係止されてコネクタ相互のロックを行うコネクタロックアームが片持ち支持で突設されているコネクタ装置を改良するものである。
【０００８】
請求項１に記載のコネクタ装置においては、検知具は、相互のコネクタの正規の嵌合時に一方のコネクタ内でコネクタロック突起に交差する向きで該一方のコネクタ内に挿入状態にあるコネクタロックアームの側面に沿って存在するようにして片持ち支持で設けられたロックアーム離脱操作用アームを備えている。該ロックアーム離脱操作用アームの先端には、相互のコネクタの正規の嵌合時にコネクタロックアームの存在側とは反対側に突出する向きでロックアーム離脱操作突起が突設されている。一方のコネクタのコネクタハウジングの内壁面で、検知具のロックアーム離脱操作突起が通る通路の途中には、検知具を一方のコネクタから所定の位置まで抜いた際に該ロックアーム離脱操作突起が乗り上げて該ロックアーム離脱操作突起によりコネクタロックアームをその先端部がコネクタロック突起から外れる方向に撓ませるロック外し突起が突設されている。
【０００９】
このような構造のコネクタ装置では、相互のコネクタが正規に嵌合され、検知具が正規の状態に嵌合されている状態から、該検知具を一方のコネクタから所定位置まで抜くと、検知具のロックアーム離脱操作用アームの先端に設けられているロックアーム離脱操作突起が一方のコネクタのコネクタハウジングのロック外し突起に乗り上げて、該ロックアーム離脱操作突起によりコネクタロックアームをその先端部がコネクタロック突起から外れる方向に撓ませる。この操作により、コネクタロックアームがコネクタロック突起から外れる。検知具を更に一方のコネクタから抜かない限り、この状態が維持される。この状態になると、相互のコネクタを単に引き外す作業だけで、相互のコネクタを容易に分離することができる。即ち、一方のコネクタと他方のコネクタとの嵌合を外す場合には、従来のように、コネクタハウジングの外表面に存在するコネクタロックアームの基端側を指で押圧し続けて該コネクタロックアームをコネクタロック突起から外した状態を維持しつつ、相互のコネクタを引き外す操作を行う必要がなく、検知具を一方のコネクタから所定位置まで抜く操作でロックが外れてその状態が維持され、次に相互のコネクタを引き離せばよく、作業性がよく、狭い作業スペース等であっても相互のコネクタの嵌合を外す作業を容易に行うことができる。
【００１０】
請求項２に記載のコネクタ装置においては、請求項１において、検知具と一方のコネクタのコネクタハウジングとには、相互のコネクタが正規の嵌合状態で且つ検知具が嵌合し得る最終位置まで一方のコネクタに嵌合されていてしかも他方のコネクタのコネクタロックアームが一方のコネクタのコネクタロック突起に嵌合された状態から検知具が一方のコネクタより所要の位置まで抜かれてロックアーム離脱操作突起がロック外し突起に乗り上げた際に検知具を一方のコネクタのコネクタハウジングに仮係止する仮係止手段が設けられている。
【００１１】
このように相互のコネクタが正規の嵌合状態で且つ検知具が嵌合し得る最終位置まで一方のコネクタに嵌合されていてしかも他方のコネクタのコネクタロックアームが一方のコネクタのコネクタロック突起に嵌合された状態から検知具が一方のコネクタより所要の位置まで抜かれてロックアーム離脱操作突起がロック外し突起に乗り上げた際に検知具を一方のコネクタのコネクタハウジングに仮係止する仮係止手段を設けると、コネクタロックアームがコネクタロック突起から外れた状態を維持させることができ、操作性の信頼性を向上させることができる。
【００１２】
請求項３に記載のコネクタ装置においては、一方のコネクタのコネクタハウジングの一部には、相互の前記コネクタの嵌合方向に沿って検知具を挿入して組込む検知具組込み部が設けられている。他方のコネクタのコネクタハウジングの一部には、一方のコネクタの検知具組込み部を相互のコネクタの嵌合方向に沿って嵌込むための嵌込み凹部を有する嵌込み部が設けられている。一方のコネクタの検知具組込み部には、該検知具組込み部の入口側から検知具を挿入するための検知具挿入孔が貫通して設けられ、該検知具挿入孔の内壁の第１の面には相互のコネクタの嵌合方向に対して直交する方向に突設されてコネクタロック突起が設けられている。他方のコネクタの嵌込み部における嵌込み凹部の底面には、コネクタロック突起に先端部が係止される枠形のコネクタロックアームが片持ち支持で突設されている。
【００１３】
検知具は、検知具挿入孔にその入口側から嵌込まれる横断面形状がほぼ四角形で周囲に第１〜第４の面を有する検知具基体と、相互のコネクタの嵌合方向に沿った該検知具基体の操作方向の基端側に一体に設けられている操作摘み部と、検知具基体の操作方向の先端でコネクタロック突起に向い合う第１の面側に片寄せて位置させて片持ち支持されていて検知具基体の操作方向の先端方向に突設されて相互のコネクタの正規の嵌合時に一方のコネクタ内でコネクタロック突起に交差する向きで該一方のコネクタ内に挿入状態にあるコネクタロックアームの側面に沿って存在するロックアーム離脱操作用アームと、ロックアーム離脱操作用アームの先端で相互のコネクタの正規の嵌合時にコネクタロックアームの存在側とは反対側に突出するように設けられたロックアーム離脱操作突起と、検知具基体の操作方向の先端で第１の面とは反対側の第３の面側に片寄せて位置させて該第３の面の幅方向の両端に片持ち支持されていて検知具基体の操作方向の先端方向にそれぞれ突設された１対の検知具係止用アームと、これら検知具係止用アームの先端で検知具基体の第３の面と同じ側に位置する部分にそれぞれ突設された第１の係止突起と、一方の各検知具係止用アームの先端には検知具基体の第２の面と同じ側に位置する部分に、他方の各検知具係止用アームの先端には検知具基体の第４の面と同じ側に位置する部分にそれぞれ突設された第２の係止突起と、検知具基体の第２，第４の面に該検知具基体の操作方向に位置を異にし且つこれらの面の幅方向に位置を異にしてそれぞれ突設された第３の係止突起及び第４の係止突起と、検知具基体の第３の面に突設された検知具ロック突起とを備えて構成されている。
【００１４】
一方のコネクタの検知具組込み部に設けられている検知具挿入孔の内表面には、
検知具のロックアーム離脱操作突起が通る通路の途中に設けられて検知具を一方のコネクタから所定の位置まで抜いた際にロックアーム離脱操作突起がコネクタ離脱操作時に乗り上げて該ロックアーム離脱操作突起によりコネクタロックアームをその先端部がコネクタロック突起から外れる方向に撓ませるロック外し突起と、
ロック外し突起を間にして検知具のロックアーム離脱操作突起が通る通路の幅方向の両側に先端部が存在するようにして対形に片持ち支持で相互のコネクタの嵌合方向に対して直交する方向に突設されているコネクタロック突起と、
検知具の１対の第１の係止突起が通る通路の途中にそれぞれ設けられてロックアーム離脱操作突起がロック外し突起に乗り上げている際に該検知具が挿入方向に進まないようにこれら第１の係止突起をそれぞれ仮係止する１対の第１の係止突起係止部と、
検知具の１対の第２の係止突起が通る通路の末端にそれぞれ設けられて、一方のコネクタの検知具挿入孔に組み込まれた検知具が検知具組込み部の先端側から抜け出さないように該検知具のこれら第２の係止突起をそれぞれ係止する１対の第２の係止突起係止部と、
検知具の１対の第３の係止突起が通る通路の途中にそれぞれ設けられて、検知具を一方のコネクタから所定の位置まで抜いてのコネクタ離脱操作時にロックアーム離脱操作突起がロック外し突起に乗り上げてコネクタロックアームをコネクタロック突起から外した状態の時に該検知具の引き操作を停止させることができるように該検知具のこれら第３の係止突起を一方のコネクタにそれぞれ仮係止する１対の第３の係止突起係止部と、
検知具の１対の第４の係止突起が通る通路の入口側にそれぞれ設けられて、一方のコネクタの検知具挿入孔に組み込まれた検知具が検知具組込み部の基端側から抜け出さないように該検知具のこれら第４の係止突起を係止する１対の第４の係止突起係止部とが設けられている。
【００１５】
一方のコネクタのコネクタハウジングには、該一方のコネクタと他方のコネクタとが正規嵌合された際に検知具の検知具ロック突起をロックする検知具ロックアームが枢支部で揺動可能に設けられている。
【００１６】
さらに一方のコネクタのコネクタハウジングには、検知具の１対の第２の係止突起が該一方のコネクタの１対の第２の係止突起係止部に係止されている状態で検知具の１対の第１の係止突起を該一方のコネクタのコネクタハウジングで包囲しないように露出させる１対のスリットが該一方のコネクタのコネクタハウジングにその先端に開口させてそれぞれ設けられている。
【００１７】
他方のコネクタのコネクタハウジングの嵌込み凹部の内表面には、検知具の１対の第２の係止突起が該一方のコネクタの１対の第２の係止突起係止部にそれぞれ係止されている状態で一方のコネクタと他方のコネクタを正規の嵌合状態に嵌合させる際に１対の検知具係止用アームの先端部を押圧して各第２の係止突起を各第２の係止突起係止部からそれぞれ外す操作を行う１対の第２の係止突起外し操作部が設けられている。
【００１８】
このようなコネクタ装置では、相互のコネクタが正規の嵌合状態で且つ検知具が嵌合し得る最終位置まで一方のコネクタに嵌合されていてしかも他方のコネクタのコネクタロックアームが一方のコネクタのコネクタロック突起に嵌合された状態から検知具を一方のコネクタより所要の位置まで抜くと、検知具のロックアーム離脱操作用アームの先端に設けられているロックアーム離脱操作突起が一方のコネクタのコネクタハウジングのロック外し突起に乗り上げて、該ロックアーム離脱操作突起によりコネクタロックアームをその先端部がコネクタロック突起から外れる方向に撓ませる。この操作により、コネクタロックアームがコネクタロック突起から外れる。検知具を更に一方のコネクタより抜かない限り、この状態が維持される。この状態になると、相互のコネクタを単に引き外す作業だけで、相互のコネクタを容易に分離することができる。即ち、一方のコネクタと他方のコネクタとの嵌合を外す場合には、従来のように、コネクタハウジングの外表面に存在するコネクタロックアームの基端側を指で押圧し続けて該コネクタロックアームをコネクタロック突起から外した状態を維持しつつ、相互のコネクタを引き外す操作を行う必要がなく、検知具を一方のコネクタより所要の位置まで抜く操作でロックが外れてその状態が維持され、次に相互のコネクタを引き離せばよく、作業性がよく、狭い作業スペース等であっても相互のコネクタの嵌合を外す作業を容易に行うことができる。
【００１９】
特に、この第３の発明のコネクタ装置では、検知具に第１，第３の係止突起を設け、一方のコネクタのコネクタハウジングに第１，第３の係止突起係止部を設けているので、ロックアーム離脱操作突起がロック外し突起に乗り上げている際に該検知具が一方のコネクタに対して挿入方向及び引き操作方向に移動しないように仮係止することができ、ロックアーム離脱操作突起がロック外し突起に乗り上げている状態を仮保持させることができ、操作者による保持動作を必要としない利点がある。
【００２０】
また、この第３の発明のコネクタ装置では、検知具に第２，第４の係止突起を設け、一方のコネクタのコネクタハウジングに第２，第４の係止突起係止部を設けているので、他方のコネクタに嵌合する前に一方のコネクタの検知具挿入孔に予め組み込んだ検知具が該一方のコネクタに対して挿入方向及び引き操作方向に移動しないように仮係止することができ、操作者による保持動作を必要としない利点がある。
【００２１】
さらに、このコネクタ装置においては、コネクタロック突起とコネクタロックアームが相互のコネクタハウジング内に設けられているので、従来と違ってコネクタハウジングの設計の自由度が増す利点がある。かつまた、コネクタロック突起とコネクタロックアームが相互のコネクタハウジング内に設けられていると、従来のようにコネクタロックアームが作業の過程等で何らかの物体に当たる等して損傷を受け、相互のコネクタのロックが不能になる事態の発生を回避することができる。
【００２２】
【発明の実施の形態】
図１〜図３５は、本発明に係るコネクタ装置における実施の形態の一例を示したものである。これらの図において、図１は検知具を予めセットした一方のコネクタとその嵌合相手である他方のコネクタとの嵌合前の状態を示す斜視図、図２は本例のコネクタ装置の正規の嵌合状態を示す縦断面図、図３は本例のコネクタ装置で検知具を予めセットした一方のコネクタとその嵌合相手である他方のコネクタとの半嵌合状態を示す縦断面図、図４は本例のコネクタ装置で検知具を予めセットした一方のコネクタとその嵌合相手である他方のコネクタとが半嵌合状態に至る前の未嵌合状態を示す縦断面図、図５は本例のコネクタ装置で検知具を予めセットした一方のコネクタとその嵌合相手である他方のコネクタとが正規の嵌合状態から離脱させる過程を示す縦断面図である。また、図６〜図１６は本例で用いている一方のコネクタのコネクタハウジングの構造を示し、図１７〜図２４は本例で用いている他方のコネクタのコネクタハウジングの構造を示し、図２５〜図３２は本例で用いている検知具の構造を示している。さらに、図３３〜図３５は本例で用いている一方のコネクタのコネクタハウジングに検知具を組込んだ状態の構造を示している。
【００２３】
まず、このコネクタ装置の基本的構成について、主として図１〜図５を参照して説明する。このコネクタ装置においては、黄銅或いは銅合金などよりなる図示しない第１のコンタクト（例えば、雌端子）を組込んでいる樹脂（例えば、ナイロン，或いはポリブチレンテレフタレートなど）製の一方のコネクタ１と、前述した第１のコンタクトに接続される黄銅或いは銅合金などよりなる図示しない第２のコンタクト（例えば、雄端子）を組込んでいる樹脂（例えば、ナイロン，或いはポリブチレンテレフタレートなど）製で一方のコネクタ１を内部に嵌合する構造の他方のコネクタ２と、相互のコネクタ１，２の嵌合方向に沿って一方のコネクタ１に抜き差し可能に嵌合されてこれらコネクタ１，２の半嵌合を検知する樹脂（例えば、ナイロン，ポリブチレンテレフタレート，或いはポリプロピレンなど）製の検知具３とを備えて構成されている。一方のコネクタ１のコネクタハウジング４内には相互のコネクタ１，２の嵌合方向に対して直交する方向に突設されてコネクタロック突起５が片持ち支持で設けられ、他方のコネクタ２のコネクタハウジング６内には相互のコネクタ１，２が完全嵌合位置まで嵌合された正規の嵌合時に該他方のコネクタ２側から一方のコネクタ１内に挿入されて該一方のコネクタ１のコネクタロック突起５に係止されてコネクタ１，２相互のロックを行うコネクタロックアーム７が片持ち支持で突設されている。
【００２４】
一方のコネクタ１のコネクタハウジング４の正面（検知具３を挿入する側の面）からみて片側の部分には、前述した第１のコンタクト（例えば、雌端子）の多数を組込んで係止する第１のコンタクト組込み部８が設けられている。この第１のコンタクト組込み部８では、図９に示すようにコネクタハウジング４を貫通して多数のコンタクト挿入孔９が設けられ、これらコンタクト挿入孔９に挿入された図示しない第１のコンタクトはランス１０で係止されるようになっている。
【００２５】
他方のコネクタ２のコネクタハウジング６の正面（一方のコネクタ１を挿入する側の面））からみて片側の部分には、前述した第２のコンタクト（例えば、雄端子）の多数を組込んで係止する第２のコンタクト組込み部１１が設けられている。この第２のコンタクト組込み部１１では、図２２に示すようにコネクタハウジング６を貫通して多数のコンタクト挿入孔１２が設けられ、これらコンタクト挿入孔１２に挿入された図示しない第２のコンタクトはランス１３で係止されるようになっている。
【００２６】
一方のコネクタ１のコネクタハウジング４の上面側の周囲には、鍔部１４が水平方向に換言すれば横方向に突設されている。
【００２７】
特に、本例のコネクタ装置の特徴部分の構成について、図１〜図３２を参照して説明する。
【００２８】
即ち、本例のコネクタ装置においては、主として図６〜図１０に示すように、一方のコネクタ１のコネクタハウジング４の正面からみて第１のコンタクト組込み部８が設けられている側とは反対側の部分には、検知具３を挿入して組込む検知具組込み部１５が設けられている。この検知具組込み部１５は、鍔部１４の上方と下方への突出長さが略等しくなる程度の長さで設けられている。検知具組込み部１５が存在しない側のコネクタハウジング４の部分では、鍔部１４はコネクタハウジング４の上端寄りの位置に存在するようになっている。
【００２９】
他方のコネクタ２のコネクタハウジング６の正面からみて第２のコンタクト組込み部１１が設けられている側とは反対側の部分には、主として図２１，図２３，図２４に示すように、一方のコネクタ１の検知具組込み部１５の下部を嵌込むための嵌込み凹部１６を有する嵌込み部１７が設けられている。
【００３０】
一方のコネクタ１の検知具組込み部１５には、主として図１１〜図１６に示すように、該検知具組込み部１５の入口側から検知具３を挿入するために横断面形状がほぼ四角形の検知具挿入孔１８が貫通して設けられている。この検知具挿入孔１８の内壁で第１のコンタクト組込み部８側に隣接した第１の面１８ａには、相互のコネクタ１，２の嵌合方向に対して直交する方向に１対のコネクタロック突起５が突設されている。
【００３１】
他方のコネクタ２の嵌込み部１７における嵌込み凹部１６の底面には、主として図１７，図２１，図２４に示すように、コネクタロック突起５に先端部が係止される枠形のコネクタロックアーム７が片持ち支持で嵌込み凹部１６の入口側に向けて突設されている。
【００３２】
検知具３は、主として図２５〜図３２に示すように、コネクタ１の検知具挿入孔１８にその入口側から嵌込まれる輪郭横断面形状がほぼ四角形で周囲に第１〜第４の面１９ａ〜１９ｄを有する検知具基体１９と、相互のコネクタ１，２の嵌合方向に沿った該検知具基体１９の操作方向の基端側に一体に設けられている操作摘み部２０と、検知具基体１９の操作方向の先端でコネクタロック突起５に向い合う第１の面１９ａ側に片寄せて位置させて片持ち支持されていて検知具基体１９の操作方向の先端方向に突設されて相互のコネクタ１，２の正規の嵌合時に一方のコネクタ１内でコネクタロック突起５に交差する向きで該一方のコネクタ１内に挿入状態にあるコネクタロックアーム７の側面に沿って存在するロックアーム離脱操作用アーム２１と、このロックアーム離脱操作用アーム２１の先端で相互のコネクタ１，２の正規の嵌合時にコネクタロックアーム７の存在側とは反対側に突出するように設けられたテーパ付きのロックアーム離脱操作突起２２と、検知具基体１９の操作方向の先端で第１の面１９ａとは反対側の第３の面１９ｃ側に片寄せて位置させて該第３の面１９ｃの幅方向の両端に片持ち支持されていて検知具基体１９の操作方向の先端方向にそれぞれ突設された１対の検知具係止用アーム２３と、これら検知具係止用アーム２３の先端で検知具基体１９の第３の面１９ｃと同じ側に位置する部分にそれぞれ突設されたテーパ付きの第１の係止突起２４と、一方の各検知具係止用アーム２３の先端には検知具基体１９の第２の面１９ｂと同じ側に位置する部分に、他方の各検知具係止用アーム２３の先端には検知具基体１９の第４の面１９ｄと同じ側に位置する部分にそれぞれ突設されたテーパ付きの第２の係止突起２５と、検知具基体１９の第２，第４の面１９ｂ，１９ｄに該検知具基体１９の操作方向に位置を異にし且つこれらの面の幅方向に位置を異にしてそれぞれ突設されたテーパ付きの第３の係止突起２６及び第４の係止突起２７と、検知具基体１９の第３の面１９ｃに突設されたテーパ付きの検知具ロック突起２８とを備えて構成されている。検知具基体１９の先端部は、一方のコネクタ１と他方のコネクタ２とが半嵌合状態のとき、他方のコネクタ２のコネクタハウジング６に設けられているコネクタロックアーム７が当接する半嵌合検知部１９ｅとなっている。
【００３３】
一方のコネクタ１の検知具組込み部１５に設けられている検知具挿入孔１８の内表面には、主として図６〜図１６に示すように、
検知具３のロックアーム離脱操作突起２２が通る溝形の通路２９の途中に設けられて検知具３を一方のコネクタ１から所定の位置まで抜いた際にロックアーム離脱操作突起２２がコネクタ離脱操作時に乗り上げて該ロックアーム離脱操作突起２２によりコネクタロックアーム７をその先端部がコネクタロック突起５から外れる方向に撓ませるロック外し突起３０と、
ロック外し突起３０を間にして検知具３のロックアーム離脱操作突起２２が通る溝形の通路２９の幅方向の両側に先端部が存在するようにして対形に片持ち支持で相互のコネクタ１，２の嵌合方向に対して直交する方向に突設されている前述したコネクタロック突起５と、
検知具３の１対の第１の係止突起２４が通る溝形の通路３１の途中にそれぞれ設けられてロックアーム離脱操作突起２２がロック外し突起３０に乗り上げている際に該検知具３が挿入方向に進まないようにこれら第１の係止突起２４をそれぞれ仮係止する１対の第１の係止突起係止部３２と、
検知具３の１対の第２の係止突起２５が通る溝形の通路３３の末端にそれぞれ設けられて、一方のコネクタ１の検知具挿入孔１８に組み込まれた検知具３が検知具組込み部１５の先端側から抜け出さないように該検知具３のこれら第２の係止突起２５をそれぞれ係止する１対の第２の係止突起係止部３４と、
検知具３の１対の第３の係止突起２６が通る溝形の通路３５の途中にそれぞれ設けられて、検知具３を検知具３を一方のコネクタ１から所定の位置まで抜いてのコネクタ離脱操作時にロックアーム離脱操作突起２２がロック外し突起３０に乗り上げてコネクタロックアーム７をコネクタロック突起５から外した状態の時に該検知具３の引き操作を停止させることができるように該検知具３のこれら第３の係止突起２６を一方のコネクタ１にそれぞれ仮係止する１対の第３の係止突起係止部３６と、
検知具３の１対の第４の係止突起２７が通る溝形の通路３７の入口側にそれぞれ設けられて、一方のコネクタ１の検知具挿入孔１８に組み込まれた検知具３が検知具組込み部１５の基端側から抜け出さないように該検知具３のこれら第４の係止突起２７を係止する１対の第４の係止突起係止部３８とが設けられている。
【００３４】
この場合、図１１に示すように、通路２９とロック外し突起３０とは検知具挿入孔１８の第１の面１８ａ側に設けられ、通路３３と第２の係止突起係止部３４及び通路３５と第３の係止突起係止部３６とは検知具挿入孔１８の第２，第４の面１８ｂ，１８ｄ側に設けられ、通路３１と第１の係止突起係止部３２とは検知具挿入孔１８の第３の面１８ｃ側に設けられている。
【００３５】
一方のコネクタ１のコネクタハウジング４には、該一方のコネクタ１と他方のコネクタ２とが正規嵌合された際に検知具３の検知具ロック突起２８をロックする検知具ロックアーム３９が、主として図１１〜図１３，図１６に示すように、枢支部４０で揺動可能に設けられている。
【００３６】
さらに、一方のコネクタ１のコネクタハウジング４には、検知具３の１対の第２の係止突起２５が該一方のコネクタ１の１対の第２の係止突起係止部３４に係止されている状態で検知具３の１対の第１の係止突起２４を該一方のコネクタ１のコネクタハウジング４で包囲しないように露出させる１対のスリット４１が、主として図１２，図１４，図１６に示すように、該一方のコネクタ１のコネクタハウジング４にその先端に開口させてそれぞれ設けられている。
【００３７】
他方のコネクタ２のコネクタハウジング６の嵌込み凹部１６の内表面には、検知具３の１対の第２の係止突起２５が該一方のコネクタ１の１対の第２の係止突起係止部３４にそれぞれ係止されている状態で一方のコネクタ１と他方のコネクタ２を正規の嵌合状態に嵌合させる際に、１対の検知具係止用アーム２３の先端部を押圧して各第２の係止突起２５を各第２の係止突起係止部３４からそれぞれ外す操作を行う１対の第２の係止突起外し操作部４２が、主として図１７，図２１，図２３に示すように設けられている。
【００３８】
また、他方のコネクタ２のコネクタハウジング６には、一方のコネクタ１の第１のコンタクト組込み部８を嵌込む嵌込み凹部４３が、主として図１，図１７，図２１に示すように設けられている。この嵌込み凹部４３内には、第２のコンタクト組込み部１１に組込まれた図示しない第２のコンタクト（この例では、雄端子）の先端部が突出されていて、一方のコネクタ１と他方のコネクタ２の正規の嵌合状態ではこの雄端子からなる第２のコンタクトが一方のコネクタ１の第１のコンタクト組込み部８におけるコンタクト挿入孔９に挿入されて図示しない第１のコンタクトに電気的に接続されるようになっている。
【００３９】
さらに、他方のコネクタ２のコネクタハウジング６における嵌込み凹部１６の底部１６ａには、検知具３のロックアーム離脱操作突起２２の先端部を貫通させる貫通孔４４と、検知具３の１対の検知具係止用アーム２３の各先端部を貫通させる貫通孔４５とが設けられている。
【００４０】
次に、このようなコネクタ装置における一方のコネクタ１と他方のコネクタ２の接続，離脱時の動作について説明する。
【００４１】
この際、一方のコネクタ１の第１のコンタクト組込み部８の各コンタクト挿入孔９には図示しない第１のコンタクト（例えば、雌端子）を組込んでランス１０に係止させておき、また他方のコネクタ２の第２のコンタクト組込み部１１には図示しない第２のコンタクト（例えば、雄端子）を組込んでランス１３に係止させておく。
【００４２】
また、一方のコネクタ１の検知具組込み部１５には、図４及び図３３〜図３５に示すようにその入口側から検知具３を予め組込んでおく。この状態では、検知具３のロックアーム離脱操作用アーム２１の先端のロックアーム離脱操作突起２２が、一方のコネクタ１のコネクタハウジング４における通路２９の途中のロック外し突起３０を乗り越えて図４及び図３４に示すように該ロック外し突起３０の下側に位置している。またこの状態では、図４に示すように検知具３の１対の検知具係止用アーム２３の先端の第２の係止突起２５が、一方のコネクタ１のコネクタハウジング４における通路３３の末端の第２の係止突起係止部３４に係止されてそれより先に挿入移動しないように係止されている。さらにこの状態では、検知具３の第４の係止突起２７が、一方のコネクタ１のコネクタハウジング４における通路３７の基端側の第４の係止突起係止部３８に係止されて引き操作方向に移動しないように係止されている。即ち、この状態で検知具３は、一方のコネクタ１のコネクタハウジング４に対して挿入方向及び引き操作方向に移動しないように仮係止され保持されている。
【００４３】
かかる状態で、検知具３を組込んだ一方のコネクタ１を他方のコネクタ２のコネクタハウジング６に挿入し始めると、まず図４に示す未嵌合状態になる。
【００４４】
さらに検知具３を組込んだ一方のコネクタ１を他方のコネクタ２のコネクタハウジング６に挿入すると、正規の嵌合状態に至る前の半嵌合状態では、図３に示す状態になる。即ち、図４に示す未嵌合状態から、検知具３を組込んだ一方のコネクタ１を他方のコネクタ２のコネクタハウジング６に押込んでいくと、一方のコネクタ１のコネクタロック突起５が他方のコネクタ２のコネクタロックアーム７の先端部７ａに当たることにより、該コネクタロックアーム７は図３に示すように左側に撓むことになる。図３に示すように左側に撓んだコネクタロックアーム７は、検知具３の検知具基体１９の先端部における半嵌合検知部１９ｅに当たる。このため、それ以上検知具３の挿入ができない状態になり、コネクタ１，２が半嵌合状態にあることが検知できる。
【００４５】
この半嵌合状態では、検知具３の検知具係止用アーム２３の先端の第１の係止突起２４が、図３に示すように他方のコネクタ２のコネクタハウジング６の第２の係止突起外し操作部４２に乗り上げて、検知具３の検知具係止用アーム２３が撓んでその先端の第２の係止突起２４が一方のコネクタ１の第２の係止突起係止部３４から外された状態になる。
【００４６】
この半嵌合状態から一方のコネクタ１を他方のコネクタ２にさらに押込むと、コネクタロック突起５が他方のコネクタ２のコネクタロックアーム７の先端部７ａを通り越して図２に示すようにコネクタロック突起５が他方のコネクタ２のコネクタロックアーム７の先端部７ａで抜け止めされて一方のコネクタ１と他方のコネクタ２とが抜け止め状態にロックされる。この状態では、一方のコネクタ１の図示しない第１のコンタクトと他方のコネクタ２の図示しない第２のコンタクトが接続状態になっている。この正規の嵌合状態は、コネクタロック突起５がコネクタロックアーム７の先端部７ａに係止される際のクリック音により知ることができる。
【００４７】
この正規の嵌合状態で、検知具３のみをさらに一方のコネクタ１内に押込むと、検知具３の検知具係止用アーム２３の先端の第１の係止突起２４が、他方のコネクタ２のコネクタハウジング６の第２の係止突起外し操作部４２を通り越して、検知具係止用アーム２３の先端が他方のコネクタ２のコネクタハウジング６の底部１６ａにおける貫通孔４５から外に突出する。このとき、検知具３のロックアーム離脱操作用アーム２３の先端部もコネクタハウジング６の底部１６ａにおける貫通孔４４から外に突出する。また、この状態では、検知具３の検知具ロック突起２８が一方のコネクタ１の検知具組込み部１５における図１３に示す検知具ロックアーム３９の先端部３９ａを乗り越えて、検知具３が一方のコネクタ１の検知具組込み部１５から脱出しないように該一方のコネクタ１にロックされる。
【００４８】
この正規の嵌合状態では、検知具３のロックアーム離脱操作用アーム２１は、図２に示すように一方のコネクタ１内でコネクタロック突起５に交差する向きで該一方のコネクタ１内に挿入状態のコネクタロックアーム７の側面に沿って存在するようになっている。また、ロックアーム離脱操作用アーム２１の先端のロックアーム離脱操作突起２２は、コネクタロックアーム７の存在側とは反対側に突出する向きで突設されている。さらに、一方のコネクタ１のコネクタハウジング４の内壁面で、検知具３のロックアーム離脱操作突起２２が通る通路２９の途中に設けられているロック外し突起３０は、コネクタロックアーム７の先端部７ａ側に向けて突出されている。
【００４９】
このようなコネクタ装置では、相互のコネクタ１，２が正規に嵌合され、検知具３が正規の状態に嵌合されている状態から、該検知具３を一方のコネクタ１から所定の位置まで抜くと、検知具３のロックアーム離脱操作用アーム２１の先端に設けられているロックアーム離脱操作突起２２が図５に示すように一方のコネクタ１のコネクタハウジング４のロック外し突起３０に乗り上げて、該ロックアーム離脱操作突起２２によりコネクタロックアーム７をその先端部７ａがコネクタロック突起５から外れる方向に撓ませる。この操作により、コネクタロックアーム７がコネクタロック突起５から外れる。この状態になると、検知具３の第１の係止突起２４が一方のコネクタ１のコネクタハウジング４の第１の係止突起係止部３２に当たり検知具３を挿入方向に押しても仮係止され、検知具３の第３の係止突起２６が一方のコネクタ１のコネクタハウジング４の第３の係止突起係止部３６に当たり検知具３を引き操作方向に引いても仮係止される。即ち、ロックアーム離脱操作突起２２がロック外し突起３０に乗り上げている際に、検知具３が一方のコネクタ１に対して挿入方向及び引き操作方向に共に移動しないように仮係止され、この状態を仮保持させることができ、操作者による保持動作を必要としない利点がある。
【００５０】
この状態になると、相互のコネクタ１，２を単に引き外す作業だけで、相互のコネクタ１，２を容易に分離することができる。即ち、一方のコネクタ１と他方のコネクタ２との嵌合を外す場合には、従来のように、コネクタハウジングの外表面に設けられているコネクタロックアームの基端側を指で押圧し続けて該コネクタロックアームをコネクタロック突起から外した状態を維持しつつ、相互のコネクタを引き外す操作を行う必要がなく、検知具３を一方のコネクタ１から所定の位置まで抜く操作でコネクタロックアーム７の先端部７ａがコネクタロック突起５から外れてその状態が維持され、次に相互のコネクタ１，２を引き離せばよく、作業性がよく、狭い作業スペース等であっても相互のコネクタ１，２の嵌合を外す作業を容易に行うことができる。
【００５１】
また、このコネクタ装置においては、コネクタロック突起５とコネクタロックアーム７が相互のコネクタハウジング４，６内に設けられているので、従来と違ってコネクタハウジング４，６の設計の自由度が増す利点がある。さらに、コネクタロック突起５とコネクタロックアーム７が相互のコネクタハウジング４，６内に設けられていると、従来のようにコネクタロックアームが作業の過程等で何らかの物体に当たる等して損傷を受け、相互のコネクタのロックが不能になる事態の発生を回避することができる。
【００５２】
【発明の効果】
本発明に係るコネクタ装置においては、相互のコネクタが正規に嵌合され、検知具が正規の状態に嵌合されている状態から、該検知具を一方のコネクタから所定位置まで抜くと、検知具のロックアーム離脱操作用アームの先端に設けられているロックアーム離脱操作突起が一方のコネクタのコネクタハウジングのロック外し突起に乗り上げて、該ロックアーム離脱操作突起によりコネクタロックアームをその先端部がコネクタロック突起から外れる方向に撓み、コネクタロックアームがコネクタロック突起から外れる。このため従来のように、コネクタハウジングの外表面に存在するコネクタロックアームの基端側を指で押圧し続けて該コネクタロックアームをコネクタロック突起から外した状態を維持しつつ、相互のコネクタを引き外す操作を行う必要がなく、検知具を一方のコネクタから所定位置まで抜く操作でロックが外れてその状態が維持され、次に相互のコネクタを引き離せばよく、作業性がよく、狭い作業スペース等であっても相互のコネクタの嵌合を外す作業を容易に行うことができる。
【図面の簡単な説明】
【図１】  本発明に係るコネクタ装置における実施の形態の一例における検知具を予めセットした一方のコネクタとその嵌合相手である他方のコネクタとの嵌合前の状態を示す斜視図である。
【図２】  本例のコネクタ装置の正規の嵌合状態を示す縦断面図である。
【図３】  本例のコネクタ装置で検知具を予めセットした一方のコネクタとその嵌合相手である他方のコネクタとの半嵌合状態を示す縦断面図である。
【図４】  本例のコネクタ装置で検知具を予めセットした一方のコネクタとその嵌合相手である他方のコネクタとが半嵌合状態に至る前の未嵌合状態を示す縦断面図である。
【図５】  本例のコネクタ装置で検知具を予めセットした一方のコネクタとその嵌合相手である他方のコネクタとが正規の嵌合状態から離脱させる過程を示す縦断面図である。
【図６】  本例で用いている一方のコネクタのコネクタハウジングを示す平面図である。
【図７】  図６に示すコネクタハウジングの正面図である。
【図８】  図６に示すコネクタハウジングの右側面図である。
【図９】  図６のＡ−Ａ線断面図である。
【図１０】  図６に示すコネクタハウジングの底面図である。
【図１１】  図６に示すコネクタハウジングの検知具組込み部の平面図である。
【図１２】  図１１に示す検知具組込み部の底面図である。
【図１３】  図１１に示す検知具組込み部のＢ−Ｂ線断面図である。
【図１４】  図１１に示す検知具組込み部のＣ−Ｃ線断面図である。
【図１５】  図１１に示す検知具組込み部のＤ−Ｄ線断面図である。
【図１６】  図１１に示す検知具組込み部のＥ−Ｅ線断面図である。
【図１７】  本例で用いている他方のコネクタのコネクタハウジングを示す平面図である。
【図１８】  図１７に示すコネクタハウジングの正面図である。
【図１９】  図１７に示すコネクタハウジングの右側面図である。
【図２０】  図１７に示すコネクタハウジングの底面図である。
【図２１】  図１７に示すコネクタハウジングのＦ−Ｆ線断面図である。
【図２２】  図２１に示すコネクタハウジングのＧ−Ｇ線断面図である。
【図２３】  図２１に示すコネクタハウジングのＨ−Ｈ線断面図である。
【図２４】  図２１に示すコネクタハウジングのＩ−Ｉ線断面図である。
【図２５】  本例で用いている検知具の正面図である。
【図２６】  図２５に示す検知具の平面図である。
【図２７】  図２５に示す検知具の底面図である。
【図２８】  図２５に示す検知具の背面図である。
【図２９】  図２５に示す検知具の右側面図である。
【図３０】  図２５に示す検知具のＪ−Ｊ線断面図である。
【図３１】  図２５に示す検知具のＫ−Ｋ線断面図である。
【図３２】  図２５に示す検知具のＬ−Ｌ線断面図である。
【図３３】  本例で一方のコネクタに検知具を組込んだ状態を示す平面図である。
【図３４】  図３３に示す検知具を組込んだ一方のコネクタの要部破断正面図である。
【図３５】  図３３に示す検知具を組込んだ一方のコネクタの右側面図である。
【符号の説明】
１  一方のコネクタ
２  他方のコネクタ
３  検知具
４  コネクタハウジング
５  コネクタロック突起
６  コネクタハウジング
７  コネクタロックアーム
７ａ  先端部
８  第１のコンタクト組込み部
９  コンタクト挿入孔
１０  ランス
１１  第２のコンタクト組込み部
１２  コンタクト挿入孔
１３  ランス
１４  鍔部
１５  検知具組込み部
１６  嵌込み凹部
１７  嵌込み部
１８  検知具挿入孔
１８ａ〜１８ｄ  第１〜第４の面
１９  検知具基体
１９ａ〜１９ｄ  第１〜第４の面
１９ｅ  半嵌合検知部
２０  操作摘み部
２１  ロックアーム離脱操作用アーム
２２  ロックアーム離脱操作突起
２３  検知具係止用アーム
２４  第１の係止突起
２５  第２の係止突起
２６  第３の係止突起
２７  第４の係止突起
２８  検知具ロック突起
２９  通路
３０  ロック外し突起
３１  通路
３２  第１の係止突起係止部
３３  通路
３４  第２の係止突起係止部
３５  通路
３６  第３の係止突起係止部
３７  通路
３８  第４の係止突起係止部
３９  検知具ロックアーム
４０  枢支部
４１  スリット
４２  第２の係止突起外し操作部
４３  嵌込み凹部
４４，４５  貫通孔
【図１】
0003725337.tif 000002
【図２】
0003725337.tif 000003
【図３】
0003725337.tif 000004
【図４】
0003725337.tif 000005
【図５】
0003725337.tif 000006
【図６】
0003725337.tif 000007
【図７】
0003725337.tif 000008
【図８】
0003725337.tif 000009
【図９】
0003725337.tif 000010
【図１０】
0003725337.tif 000011
【図１１】
0003725337.tif 000012
【図１２】
0003725337.tif 000013
【図１３】
0003725337.tif 000014
【図１４】
0003725337.tif 000015
【図１５】
0003725337.tif 000016
【図１６】
0003725337.tif 000017
【図１７】
0003725337.tif 000018
【図１８】
0003725337.tif 000019
【図１９】
0003725337.tif 000020
【図２０】
0003725337.tif 000021
【図２１】
0003725337.tif 000022
【図２２】
0003725337.tif 000023
【図２３】
0003725337.tif 000024
【図２４】
0003725337.tif 000025
【図２５】
0003725337.tif 000026
【図２６】
0003725337.tif 000027
【図２７】
0003725337.tif 000028
【図２８】
0003725337.tif 000029
【図２９】
0003725337.tif 000030
【図３０】
0003725337.tif 000031
【図３１】
0003725337.tif 000032
【図３２】
0003725337.tif 000033
【図３３】
0003725337.tif 000034
【図３４】
0003725337.tif 000035
【図３５】
0003725337.tif 000036